(57)【特許請求の範囲】
【請求項１】
医療用のレポートを作成または閲覧するための医療レポートシステムであって、
入力操作を受け付ける操作部と、
レポートを作成或いは閲覧するためのレポート画面を表示するための表示部と、
レポート作成のための各種データを記憶する記憶部と、
制御部と、
を有し、
前記制御部は、前記表示部に表示させる表示内容を制御する表示制御部を有し、
前記表示制御部が表示部に表示させるレポート画面は、一部にシェーマを表示するためのシェーマ欄を有し、
前記記憶部は、前記シェーマ欄に表示させるシェーマの雛形を記憶するシェーマ雛形データベースを有し、
前記制御部は、
前記シェーマ欄に表示させるシェーマを前記シェーマ雛形データベースに記憶されたシェーマ雛形の中からユーザに選択させるためのシェーマ選択画面を前記表示制御部をして前記表示部に表示させ、前記操作部を介してユーザが行った選択の結果、選択されたシェーマの雛形が管空臓器のシェーマであるか否かの判断を行い、
管空臓器のシェーマであった場合には、前記表示制御部をして、人体を正面から見た場合の当該管空臓器のシェーマである正面シェーマのみを前記シェーマ欄に表示させるか、人体を背面から見た場合の当該管空臓器のシェーマである背面シェーマを前記シェーマ欄に表示させるか、当該管空臓器の正面シェーマと背面シェーマとの両方を前記シェーマ欄に表示させるかのいずれか１つを選択させる選択メッセージを前記表示部に表示させ、
当該選択メッセージに応じて前記操作部を介してユーザが行った選択の結果、当該管空臓器の正面シェーマと背面シェーマとの両方を前記シェーマ欄に表示させることが選択された場合には、前記表示制御部をして、当該正面シェーマと背面シェーマのいずれに患部を記入するかを選択させる選択メッセージを前記表示部に表示させ、
当該選択メッセージに応じて前記操作部を介してユーザが行った選択の結果、正面シェーマに患部を記入することが選択された場合には、前記表示制御部をして当該正面シェーマを前記背面シェーマと比較して大きくなるように前記シェーマ欄に表示させ、背面シェーマに患部を記入することが選択された場合には、前記表示制御部をして当該背面シェーマを前記正面シェーマと比較して大きくなるように前記シェーマ欄に表示させる
医療レポートシステム。
【請求項２】
医療用のレポートを作成又は閲覧するためのレポート画面を表示する表示部と、操作部と、記憶部と、制御部と、を有する医療レポートシステムにおいて、シェーマを表示するためのシェーマ表示方法であって、
前記制御部が、前記レポート画面が有するシェーマを表示するためのシェーマ欄に表示させるシェーマを、前記記憶部に記憶されたシェーマ雛形の中から選択させるためのシェーマ選択画面を前記表示部に表示させる第１の工程と、
前記制御部が、前記第１の工程においてした表示に応じて行われた選択の結果、選択されたシェーマの雛形が管空臓器のシェーマであるか否かの判断を行う第２の工程と、
前記第２の工程において行われた判断の結果、第１の工程において選択されたシェーマの雛形が管空臓器のシェーマであった場合に、前記制御部が、人体を正面から見た場合の当該管空臓器のシェーマである正面シェーマのみを前記シェーマ欄に表示させるか、人体を背面から見た場合の当該管空臓器のシェーマである背面シェーマを前記シェーマ欄に表示させるか、当該管空臓器の正面シェーマと背面シェーマとの両方を前記シェーマ欄に表示させるかのいずれか１つを選択させる選択メッセージを前記表示部に表示させる第３の工程と、
当該選択メッセージに応じて前記操作部を介してユーザが行った選択の結果、当該管空臓器の正面シェーマと背面シェーマとの両方を前記シェーマ欄に表示させることが選択された場合には、前記制御部が、当該正面シェーマと背面シェーマのいずれに患部を記入するかを選択させる選択メッセージを前記表示部に表示させる第４の工程と、
当該選択メッセージに応じて前記操作部を介してユーザが行った選択の結果、正面シェーマに患部を記入することが選択された場合には、前記制御部が、当該正面シェーマを前記背面シェーマと比較して大きくなるように前記シェーマ欄に表示させ、背面シェーマに患部を記入することが選択された場合には、前記表示制御部をして当該背面シェーマを前記正面シェーマと比較して大きくなるように前記シェーマ欄に表示させる第５の工程と、を有する
シェーマ表示方法。
【発明の詳細な説明】
【技術分野】
【０００１】
本発明は、コンピュータ上で医療レポートを作成或いは閲覧するための医療レポートシステム及びシェーマ表示方法に関する。
【背景技術】
【０００２】
近年、ＣＲ（Computed Radiography：コンピュータ放射線撮影）、ＭＲＩ（Magnetic Resonance Imaging：磁気共鳴撮影）、ＣＴ（Computed Tomography：コンピュータ断層撮影）等、医療用デジタル画像生成技術が普及している。これらの医療用デジタル画像生成技術によって生成された医療用デジタル画像は、例えば読影医による読影や、患者の担当医による診断時に利用される。
【０００３】
読影とは、医療用デジタル画像を基に医療用デジタル画像を見て行う画像診断である。読影を行う医師（読影医）は、医療用デジタル画像を基に、読影の結果や所見等を記入した読影レポートを作成する。
一方、医療用画像を参照して被検体を診察した医師は、診断結果を記入した診断レポートを生成する。
このようにして生成された読影レポートや診断レポートは被検体の治療のために有効に利用される。
【０００４】
上述したような読影レポートや診断レポート等、医療用レポートにおいては、被検体の患部を示すために、シェーマと呼ばれる図式が挿入されることがある。シェーマとは、被検体の診断対象（臓器等）の形態（形状、色彩、模様等）を模式的に示すための図式である。
例えば特許文献１には、３次元シェーマデータから必要な２次元シェーマ画像を生成するシェーマ作成装置が開示されている。
【特許文献１】特開２００６−７５４９０号公報
【発明の開示】
【発明が解決しようとする課題】
【０００５】
従来、読影レポートや診断レポートにシェーマを記入する際には、レポート用紙にシェーマを手書き或いは印刷して使用するか、電子化されたレポートの場合には、複数の典型的なシェーマパターンから選択して挿入されることが多い。
一般的に、内蔵用のシェーマは体の正面（前面）から見られた図として生成される。このため、胃や腸等の管空臓器に存在する患部をシェーマに記載する場合、例えば胃の後壁にある患部は記載できるが、前壁にある患部は記載できない。これを解決するためには、体を背面から見た場合のシェーマを併記する必要がある。
【０００６】
ところで、上述したような読影レポートや診断レポートをコンピュータ上で作成する医療レポートシステムが存在する。医療レポートシステムは、ユーザはモニタ等の表示機器に表示された画面を編集し、編集したものを印刷することによりレポートを作成するシステムである。このような医療レポートシステムにおいて、表示機器上にシェーマを表示させて編集を行う場合に、上述したように体の正面から見たシェーマと背面から見たシェーマとを表示機器上に並列表示させようとすると、シェーマの表示領域が限られているために、それぞれのシェーマが小さくなってしまう。このため、シェーマ上に患部を記載したり、シェーマを閲覧しながらレポートの編集を行ったりすることをしにくくなる、という不利益があった。また、体の正面から見たシェーマと背面から見たシェーマとの２つのシェーマを並列表示する場合のみならず、複数のシェーマを表示機器に並列表示した場合にも、それぞれのシェーマが小さく表示されてしまう、という不利益が生じた。
【０００７】
本発明は、上述した不利益を解消するために、複数のシェーマを並列表示させる場合でも、患部が存在するシェーマが小さく表示されない医療レポートシステム及びシェーマ表示方法を提供することを目的とする。
【課題を解決するための手段】
【０００８】
上述した目的を達成するために、第１の発明の医療レポートシステムは、医療用のレポートを作成または閲覧するための医療レポートシステムであって、入力操作を受け付ける操作部と、レポートを作成或いは閲覧するためのレポート画面を表示するための表示部と、レポート作成のための各種データを記憶する記憶部と、制御部と、を有し、前記制御部は、前記表示部に表示させる表示内容を制御する表示制御部を有し、前記表示制御部が表示部に表示させるレポート画面は、一部にシェーマを表示するためのシェーマ欄を有し、前記記憶部は、前記シェーマ欄に表示させるシェーマの雛形を記憶するシェーマ雛形データベースを有し、前記制御部は、前記シェーマ欄に表示させるシェーマを前記シェーマ雛形データベースに記憶されたシェーマ雛形の中からユーザに選択させるためのシェーマ選択画面を前記表示制御部をして前記表示部に表示させ、前記操作部を介してユーザが行った選択の結果、選択されたシェーマの雛形が管空臓器のシェーマであるか否かの判断を行い、管空臓器のシェーマであった場合には、前記表示制御部をして、人体を正面から見た場合の当該管空臓器のシェーマである正面シェーマのみを前記シェーマ欄に表示させるか、人体を背面から見た場合の当該管空臓器のシェーマである背面シェーマを前記シェーマ欄に表示させるか、当該管空臓器の正面シェーマと背面シェーマとの両方を前記シェーマ欄に表示させるかのいずれか１つを選択させる選択メッセージを前記表示部に表示させ、当該選択メッセージに応じて前記操作部を介してユーザが行った選択の結果、当該管空臓器の正面シェーマと背面シェーマとの両方を前記シェーマ欄に表示させることが選択された場合には、前記表示制御部をして、当該正面シェーマと背面シェーマのいずれに患部を記入するかを選択させる選択メッセージを前記表示部に表示させ、当該選択メッセージに応じて前記操作部を介してユーザが行った選択の結果、正面シェーマに患部を記入することが選択された場合には、前記表示制御部をして当該正面シェーマを前記背面シェーマと比較して大きくなるように前記シェーマ欄に表示させ、背面シェーマに患部を記入することが選択された場合には、前記表示制御部をして当該背面シェーマを前記正面シェーマと比較して大きくなるように前記シェーマ欄に表示させる。
【０００９】
第２の発明のシェーマ表示方法は、医療用のレポートを作成又は閲覧するためのレポート画面を表示する表示部と、操作部と、記憶部と、制御部と、を有する医療レポートシステムにおいて、シェーマを表示するためのシェーマ表示方法であって、前記制御部が、前記レポート画面が有するシェーマを表示するためのシェーマ欄に表示させるシェーマを、前記記憶部に記憶されたシェーマ雛形の中から選択させるためのシェーマ選択画面を前記表示部に表示させる第１の工程と、前記制御部が、前記第１の工程においてした表示に応じて行われた選択の結果、選択されたシェーマの雛形が管空臓器のシェーマであるか否かの判断を行う第２の工程と、前記第２の工程において行われた判断の結果、第１の工程において選択されたシェーマの雛形が管空臓器のシェーマであった場合に、前記制御部が、人体を正面から見た場合の当該管空臓器のシェーマである正面シェーマのみを前記シェーマ欄に表示させるか、人体を背面から見た場合の当該管空臓器のシェーマである背面シェーマを前記シェーマ欄に表示させるか、当該管空臓器の正面シェーマと背面シェーマとの両方を前記シェーマ欄に表示させるかのいずれか１つを選択させる選択メッセージを前記表示部に表示させる第３の工程と、当該選択メッセージに応じて前記操作部を介してユーザが行った選択の結果、当該管空臓器の正面シェーマと背面シェーマとの両方を前記シェーマ欄に表示させることが選択された場合には、前記制御部が、当該正面シェーマと背面シェーマのいずれに患部を記入するかを選択させる選択メッセージを前記表示部に表示させる第４の工程と、当該選択メッセージに応じて前記操作部を介してユーザが行った選択の結果、正面シェーマに患部を記入することが選択された場合には、前記制御部が、当該正面シェーマを前記背面シェーマと比較して大きくなるように前記シェーマ欄に表示させ、背面シェーマに患部を記入することが選択された場合には、前記表示制御部をして当該背面シェーマを前記正面シェーマと比較して大きくなるように前記シェーマ欄に表示させる第５の工程と、を有する。
【発明の効果】
【００１０】
本発明によれば、複数のシェーマを並列表示させる場合でも、患部が存在するシェーマが小さく表示されない医療レポートシステム及びシェーマ表示方法を提供することができる。
【発明を実施するための最良の形態】
【００１１】
以下、本実施形態の医療レポートシステムについて説明する。
本実施形態の医療レポートシステムは、特定の医療機器（超音波診断装置、ＭＲＩ、ＣＴ等）を用いて医療用画像を生成する等の検査を行った後に、検査結果を基にシェーマを含むレポート（診断レポート或いは読影レポートを含む）を作成するためのシステムである。ここで、本実施形態の医療レポートシステムは特定の医療機器を含まず、レポートを作成するための構成のみを有する。
図１は、本実施形態の医療レポートシステム１００の構成例を示す図である。
図１に示すように、本実施形態の医療レポートシステム１００は、操作部１、表示部２、記憶部３、制御部４を有する。
【００１２】
操作部１は、キーボードやマウス等の入力デバイスであり、医療レポートシステム１００のユーザの入力を受け付ける。
表示部２は、ＣＲＴ（Cathode Ray Tube）モニタやＬＣＤ（Liquid Crystal Display）等の表示デバイスであり、後述する表示制御部４１の制御に従って医療用レポート作成のための表示画面を表示する。
【００１３】
記憶部３は、ＨＤＤ（Hard Disk Drive）やフラッシュメモリ等の記憶デバイスであり、医療レポートシステム１００のレポート作成のための各種データを記憶している。
また、記憶部３はシェーマ雛形ＤＢ（データベース）３１をさらに有する。
シェーマ雛形ＤＢ３１は、レポート作成の対象となる各種診断部位のシェーマの雛形を複数種類予め記憶している。シェーマ雛形ＤＢ３１に記憶されている雛形は、例えば、胃や腸等の管空臓器を人体の正面から見た場合のシェーマ（以降正面シェーマと称する）や、管空臓器を人体の背面から見た場合のシェーマ（以降背面シェーマと称する）を含む。シェーマ雛形ＤＢ３１に記憶されたシェーマ雛形を使用してレポートを生成する方法の詳細については、後述する。
【００１４】
制御部４は、医療レポートシステム１００全体の動作を制御する。
また、制御部４は表示制御部４１をさらに有する。
表示制御部４１は、表示部２の画面表示を制御する制御ブロックであり、表示部２の画面上に例えばレポート画面を表示させ、ユーザにレポートの作成を行わせる。
表示制御部４１がレポート作成時に表示部２に表示させるレポート画面の一例を図２に示す。
図２に示すように、レポート画面２００は、患者情報欄２０１、検査情報欄２０２、所見欄２０３、シェーマ欄２０４から構成される。
なお、図２においてはレポート作成時の画面について一例を示しているが、レポート閲覧時においても表示制御部４１が表示部２に表示させる画面は、図２に示したレポート画面２００と同様の画面である。
【００１５】
患者情報欄２０１は、レポートを作成する対象となる患者に関する情報を記入するための欄である。患者情報欄２０１に記入される情報は本発明では限定しないが、例えば、患者ＩＤ（患者ごとに付された固有の番号）、患者氏名、生年月日、性別、検査時年齢等である。
検査情報欄２０２は、レポートを作成するために行った検査に関する情報を記入するための欄である。検査情報欄に記載される情報は、例えば検査日、検査を行ったモダリティ（医療機器）に関する情報等である。
【００１６】
所見欄２０３は、医療機器による検査結果を基に、ユーザ（医師）が読影或いは診断を行い、その所見を記入するための欄である。所見欄に記載される情報は、例えば患部の部位を示す情報や、部位ごとの所見である。
シェーマ欄２０４は、シェーマを記載するための欄である。
シェーマ欄２０４において、ユーザはシェーマ雛形ＤＢ３１に記憶されたシェーマ雛形を参照することにより、所望のシェーマを選択して記載する。
本実施形態のシェーマ欄２０４では、管空臓器（胃や腸等、管状の内臓）のシェーマを表示する際に、体の正面から見た場合のシェーマと、背面から見たシェーマとを並列表示する。
【００１７】
制御部４は、レポート作成時或いはレポート閲覧時にシェーマ欄２０４にシェーマを記載する際に、シェーマ雛形ＤＢ３１に記憶されたシェーマ雛形の中からユーザに所望のシェーマを選択させるシェーマ選択機能を有する。
【００１８】
以下、シェーマ選択機能について説明する。
図３は、シェーマ選択機能実行時の医療レポートシステム１００の動作例を示すフローチャートである。
【００１９】
ステップＳＴ１：
ユーザ（医師等）の操作部１を介した操作に応じて、制御部４はシェーマ選択機能を起動する。シェーマ選択機能を起動するための操作は、例えば、図２に示したレポート画面２００において、シェーマ欄２０４が選択される、等の操作である。
ステップＳＴ２：
表示制御部４１は、シェーマ欄２０４に記載するシェーマの部位を選択させるための選択メッセージを表示部２に表示させる。選択メッセージは、例えばダイアログボックス（選択メッセージを含むウインドウ）等の形式で表示される。このダイアログボックスには、例えば「全身」、「頭部」、「胸部」、「腹部」、「内臓」等の選択肢が表示され、ユーザに対してシェーマ欄２０４に記載したいシェーマの部位を選択させることができる。これらの部位は、予め設定されており、記憶部３に記憶されている。
なお、表示制御部４１は、複数段階の選択を行わせるためのウインドウを表示部２に表示させてもよい。すなわち、上述した選択肢の例において「内臓」が選択された場合に、さらに「胃」、「十二指腸」、「肝臓」等の更なる選択肢が表示されてもよい。
【００２０】
ステップＳＴ３：
表示制御部４１は、ステップＳＴ２において選択された部位のシェーマ雛形をシェーマ雛形ＤＢ３１から読み出して表示部２に一覧表示させ、ユーザに選択させる。
表示制御部４１は胃や腸等の管空臓器のシェーマ雛形を一覧表示させる際に、１つのシェーマ雛形は、体の正面から見た正面シェーマ雛形と、体の背面から見た背面シェーマ雛形とがワンセットで表示させる。この様子を図４に示す。
図４は、複数の管空臓器のシェーマ雛形から１つをユーザに選択させるためのシェーマ選択画面３００の一例を示した図である。
【００２１】
図４に示したシェーマ選択画面３００は、「胃」という部位がステップＳＴ２において選択された場合の選択画面の一例である。図４に示すように、シェーマ選択画面３００は、胃のシェーマ雛形３０１〜３０４を有する。
ここで、図４に示すように、表示制御部４１は、それぞれ正面シェーマ雛形３０１−１〜３０４−１と、背面シェーマ雛形３０１−２〜３０４−２とをワンセットで表示している。なお、図４においては正面シェーマ雛形３０１−１〜３０４−１と、背面シェーマ雛形３０１−２〜３０４−２とが左右に並んだ状態で表示されるとしたが、本発明はこれには限定されず、正面シェーマ雛形と背面シェーマ雛形の表示位置及び表示形態は自由である。すなわち、例えば表示制御部４１は背面シェーマ雛形と正面シェーマ雛形を上下に並べて表示させるようにしてもよい。従って、表示制御部４１は、正面シェーマと背面シェーマとが対応付けられていることが見て分かるような表示方法でシェーマ雛形表示すればよい。なお、管空臓器以外のシェーマ雛形については、正面シェーマと背面シェーマとをワンセットで表示させる必要はなく、例えば正面シェーマ１つのみを表示すればよい。
シェーマ雛形ＤＢ３１において、管空臓器のシェーマ雛形は、正面シェーマの雛形と背面シェーマの雛形とが対応付けられて記憶されている。本ステップＳＴ３においては、表示制御部４１は、対応付けられて記憶された正面シェーマの雛形と背面シェーマの雛形との両方をシェーマ雛形ＤＢ３１から読み出して表示する。
なお、図４において示した正面シェーマの雛形と背面シェーマの雛形とをワンセットで表示するシェーマ選択画面３００は、あくまで好適な一例であり、本発明はこれには限定されない。すなわち、本発明の医療レポートシステムの管空臓器のシェーマ雛形選択画面において、必ずしも正面シェーマの雛形と背面シェーマの雛形とがワンセットで表示されている必要はなく、例えば正面シェーマの雛形のみが表示されるようにしてもよい。
【００２２】
ステップＳＴ４：
制御部４は、ステップＳＴ３において選択されたシェーマ雛形が管空臓器のものであるか否かの判断を行う。
そして、ステップＳＴ３において選択されたシェーマ雛形が管空臓器のものでない場合はステップＳＴ５に進み、管空臓器であった場合はステップＳＴ６に進む。
ステップＳＴ５：
表示制御部４１は、ステップＳＴ３において選択されたシェーマ雛形をシェーマ欄２０４に表示させる。このステップにおけるシェーマ欄２０４へのシェーマ表示に関しては、本発明では特に限定しない。すなわち、例えば、表示制御部４１が選択されたシェーマの画像データをシェーマ雛形ＤＢ３１から読み出し、シェーマ欄の大きさに合わせて拡大／縮小表示を行うようにすればよい。
【００２３】
ステップＳＴ６：
ステップＳＴ３においてユーザの操作部１を介した操作によりシェーマ雛形の１つが選択されたら、表示制御部４１は、選択されたシェーマ雛形のうち、正面シェーマのみをシェーマ欄２０４に表示させるか、背面シェーマのみをシェーマ欄２０４に表示させるか、正面シェーマと背面シェーマの両方をシェーマ欄２０４に表示させるか、の選択をユーザにさせるための選択メッセージを表示部２に表示させる。この選択メッセージは、ステップＳＴ２における選択メッセージと同様、ダイアログボックス形式で表示されるようにすればよい。
本ステップＳＴ６において、正面シェーマのみを表示させることが選択された場合はステップＳＴ７へ進み、背面シェーマのみを表示させることが選択された場合はステップＳＴ８へ進み、両方を表示させることが選択された場合にはステップＳＴ９へ進む。
【００２４】
ステップＳＴ７：
表示制御部４１は、ステップＳＴ３において選択されたシェーマ雛形のうち、正面シェーマのみをシェーマ欄２０４に表示させる。
ステップＳＴ８：
表示制御部４１は、ステップＳＴ３において選択されたシェーマ雛形のうち、背面シェーマのみをシェーマ欄２０４に表示させる。
【００２５】
ステップＳＴ９：
ステップＳＴ６において正面シェーマと背面シェーマとの両方をシェーマ欄２０４に表示させることがユーザによって選択された場合に、表示制御部４１は、正面シェーマと背面シェーマのどちらに患部を記入するのかをユーザに選択させるための選択メッセージを表示部２に表示させる。この選択メッセージは、ステップＳＴ２及び６における選択メッセージと同様、ダイアログボックス形式で表示されるようにすればよい。
患部が例えば管空臓器の後面に存在する場合には、正面から見た正面シェーマに患部を記入することができ、患部が管空臓器の前面に存在する場合には、背面から見た背面シェーマに患部を記入することができる。このため、本ステップＳＴ９においては、そのいずれかをユーザに選択させる。
ここで、正面シェーマに患部を記入する場合（管空臓器の後面に患部が存在する場合）にはステップＳＴ１０に進み、背面シェーマに患部を記入する場合（管空臓器の前面に患部が存在する場合）にはステップＳＴ１１に進み、管空臓器の全面と後面の両方に患部が存在する場合には、ステップＳＴ１２に進む。
【００２６】
ステップＳＴ１０：
表示制御部４１は、ステップＳＴ３において選択されたシェーマ雛形のうち、正面シェーマを背面シェーマと比較して大きくなるように、正面シェーマと背面シェーマの両方をシェーマ欄２０４に表示させる。
正面シェーマを背面シェーマより大きく表示させた場合のシェーマ欄２０４の表示の一例を図５に示す。
図５に示すように、シェーマ欄２０４には正面シェーマ４０１と背面シェーマ４０２とが並んで表示されており、正面シェーマ４０１の方が背面シェーマ４０２と比較して大きく表示されている。
なお、図５は、正面シェーマを背面シェーマより大きく並列表示したシェーマ欄のあくまで一例であり、本発明はこれには限定されない。
すなわち、例えば図５においては正面シェーマと背面シェーマとが横に並んで表示されているが、本発明はこれには限定されず、例えばこれらが縦に並んで表示されてもよい。本発明では、同一のシェーマ欄に正面シェーマと背面シェーマとがどのような形・位置関係であれ両方表示されていればよい。
また、図５においては、正面シェーマ４０１は背面シェーマ４０２と比較して約４倍程度の大きさで表示されているが、本発明はこれには限定されない。すなわち、正面シェーマ４０１が明らかに背面シェーマ４０２より大きく表示されていればよい。好適には、正面シェーマ４０１にユーザが患部の記入をしやすい大きさ、或いは正面シェーマ４０１を見たユーザが記入された患部の位置を明確に把握できる程度の大きさに表示されればよい。
【００２７】
ステップＳＴ１１：
表示制御部４１は、ステップＳＴ３において選択されたシェーマ雛形のうち、背面シェーマを正面シェーマと比較して大きくなるように、正面シェーマと背面シェーマの両方をシェーマ欄２０４に表示させる。
本ステップＳＴ１１においても、ステップＳＴ１０と同様、シェーマ欄２０４には正面シェーマと背面シェーマとがどのような形・位置関係であれ両方表示されていればよい。また、ステップＳＴ１０とは逆に、背面シェーマが明らかに正面シェーマより大きく表示されていればよい。好適には、背面シェーマにユーザが患部の記入をしやすい大きさ、或いは背面シェーマを見たユーザが記入された患部の位置を明確に把握できる程度の大きさに表示されればよい。
【００２８】
ステップＳＴ１２：
表示制御部４１は、ステップＳＴ３において選択されたシェーマ雛形のうち、正面シェーマと背面シェーマとが同程度の大きさで表示されるように、正面シェーマと背面シェーマの両方をシェーマ欄２０４に表示させる。
本ステップＳＴ１２においても、ステップＳＴ１０及び１１と同様、シェーマ欄２０４には正面シェーマと背面シェーマとがどのような形・位置関係であれ両方表示されていればよい。
ただし、本ステップＳＴ１２においては、シェーマ欄２０４に正面シェーマと背面シェーマの両方が同程度の大きさで表示されているので、それぞれのシェーマが小さく表示されてしまうことは避けられない。
【００２９】
以上説明したように、本実施形態の医療レポートシステム１００においては、レポート作成時或いはレポート閲覧時に、制御部４は、ユーザの選択に応じて、シェーマをシェーマ欄２０４に表示させるためのシェーマ選択機能を起動することができる。シェーマ選択機能においては、ユーザが操作部１を介して選択した臓器が管空臓器であるか否かの判断を制御部４が行い、管空臓器である場合には、体の正面から見た正面シェーマと背面から見た背面シェーマとのいずれを表示させるかの選択をユーザに行わせ、ユーザが両方を表示させることを選択した場合には、患部を記入するシェーマがどちらであるかの選択をユーザに対して行わせ、表示制御部４１が、選択されたシェーマを選択されなかったシェーマと比較して大きく表示させる。このため、正面シェーマと背面シェーマとをシェーマ欄２０４に並列表示させた場合に、患部を記入するべきシェーマが小さく表示され、記入しづらい、といった不利益、或いは、患部が記入されたシェーマが小さく表示され、患部画の正確な位置を把握できない、という不利益を解消することができる。
【００３０】
また、本実施形態の医療レポートシステム１００においては、管空臓器のシェーマ雛形のうち、どの雛形を選択するかを決定するためのシェーマ選択画面３００において、表示制御部４１が正面シェーマの雛形と背面シェーマの雛形とをワンセットで表示させるため、正面シェーマの雛形と背面シェーマの雛形とが対応付けられていることを、ユーザに一目で理解させることができる。
【００３１】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００３２】
上述した実施形態においては、図３に示したフローチャートで説明したように、シェーマ選択機能において、管空臓器の部位がユーザによって選択された場合に、ステップＳＴ７において、正面シェーマのみを表示させるか、背面シェーマのみを選択させるか、両方ともを表示させるかをユーザに選択させ、その結果に応じてステップＳＴ７〜１２において表示制御部４１が表示させているが、本発明はこれには限定されず、制御部はユーザによって選択された部位が管空臓器であった場合には、表示制御部は、強制的に正面シェーマと背面シェーマの両方を並列表示させるようにしてもよい。この場合、制御部は、図３に示したフローチャートのステップＳＴ９における選択をユーザに行わせ、その選択結果に応じてステップＳＴ１０〜１２と同様に表示制御部に表示を行わせるようにすればよい。
【００３３】
また、上述した実施形態では、図３に示したフローチャートのステップＳＴ９において、制御部４は患部が正面シェーマに記入されるのか、背面シェーマに記入されるのかをユーザに選択させ、その結果に応じてステップＳＴ１０〜１２において表示制御部４１に表示を行わせているが、本発明はこれには限定されない。例えば、制御部４が図２に示したレポート画面２００の所見欄２０３に記入された情報のうち、患部の部位に当たる情報を参照し、患部が管空臓器の前面にあるか後面にあるかを判断することによって、自動的に表示制御部４１に正面シェーマを背面シェーマと比較して大きく表示させるか、背面シェーマを正面シェーマと比較して大きく表示させるかを決定し、表示制御部４１に決定した表示方法で表示させるようにしてもよい。このようにすることにより、ユーザのレポート作成（或いは閲覧）時における労力を軽減させることができるようになる。
【００３４】
また、上述した実施形態では、体の正面から見た正面シェーマと、背面から見た背面シェーマの２つのシェーマを並列表示させる場合について説明したが、本発明はこれには限定されない。すなわち、正面シェーマ、背面シェーマ以外にも並列表示させる場合でも、本発明は適用可能である。また、並列表示させるシェーマの数が２つの場合だけではなく、３つ以上の場合でも、本発明は適用可能である。すなわち、例えば、ある管空臓器に関して、正面シェーマ、背面シェーマの他に、体の右側から見た右面シェーマと、左側から見た左面シェーマとをさらに並列表示させる場合に、そのうちの患部が記入（表示）されるべきシェーマのみ他のシェーマと比較して大きく表示させるようにすればよい。
【図面の簡単な説明】
【００３５】
【図１】図１は、本実施形態の医療レポートシステムの構成例を示す図である。
【図２】図２は、表示制御部がレポート作成時に表示部に表示させるレポート画面の一例を示す図である。
【図３】図３は、シェーマ選択機能実行時の本実施形態の医療レポートシステムの動作例を示すフローチャートである。
【図４】図４は、複数の管空臓器のシェーマ雛形から１つをユーザに選択させるためのシェーマ選択画面の一例を示した図である。
【図５】図５は、正面シェーマを背面シェーマより大きく表示させた場合のシェーマ欄の表示の一例を示す図である。
【符号の説明】
【００３６】
１００…医療レポートシステム、１…操作部、２…表示部、３…記憶部、３１…シェーマ雛形ＤＢ、４…制御部、４１…表示制御部
【図１】
0004685122.tif 000002
【図２】
0004685122.tif 000003
【図３】
0004685122.tif 000004
【図４】
0004685122.tif 000005
【図５】
0004685122.tif 000006